(57)【要約】      （修正有）【課題】装着性がよくて、十分な磁気治療効果を期待し得るベルト型磁気治療器を提供する。【解決手段】腰部を覆い得る大きさの腰当部２と腰当部の両側に延設される腹回り部３，４とを含む基布１に磁石要素を配備して成り、腹回り部３，４には互いに着脱可能に係着し合う係着手段が定着される。磁石要素として、クランク型の磁気カプセルの上部及び下部に伸縮紐を通すことによって多数の磁気カプセルを横に連ねて形成される長尺磁石列８と短尺磁石列９とを含み、長尺磁石列８は、腰当部から腹回り部に亘って伸びるように複数段配置され、短尺磁石列９は、腰当部の長尺磁石列８の下側に複数段連結配置されて成る。【選択図】図２
0003209256.tif 000002
【実用新案登録請求の範囲】
【請求項１】
腰部を覆い得る大きさの腰当部と前記腰当部の両側に延設される腹回り部とを含む基布に磁石要素を配備して成り、
前記腹回り部には互いに着脱可能に係着し合う係着手段が定着され、
前記磁石要素として、クランク型の磁気カプセルの上部及び下部に伸縮紐を通すことによって多数の前記磁気カプセルを横に連ねて形成される長尺磁石列と短尺磁石列とを含み、
前記長尺磁石列は、前記腰当部から腹回り部に亘って伸びるように複数段配置され、前記短尺磁石列は、前記腰当部部分の前記長尺磁石列の下側に複数段連結配置されて成るベルト型磁気治療器。
【請求項２】
前記長尺磁石列は３段であり、前記短尺磁石列は２段である、請求項１に記載のベルト型磁気治療器。
【請求項３】
前記長尺磁石列は両端部のみ前記基布に固定され、中間部は前記基布の複数個所に設けられた支持帯によって支持されている、請求項１又は２に記載のベルト型磁気治療器。
【請求項４】
前記基布は一部に伸縮部を備えている、請求項１乃至３のいずれかに記載のベルト型磁気治療器。
【考案の詳細な説明】
【技術分野】
【０００１】
本考案は、ベルト型磁気治療器に関するものであり、より詳細には、腰部に装着することにより、腰部から腹部にかけて有効に磁気作用を及ぼすことができるベルト型磁気治療器に関するものである。
【背景技術】
【０００２】
近時、腰痛に悩まされる人は相変わらず増加の一歩をたどっており、それに伴い、多種多様の腰保護用ベルトが出回っている。その多くは、両端部に互いに係着し合う面テープを備えた伸縮性素材製のもので、腰に回し、所望の圧に絞った後、端部の面テープ同士を係着して装着するものである。
【０００３】
そして、この種腰保護用ベルトにおいて、更に磁気治療効果を企図したものも数多く提案されている。しかしながら、従来提案されている磁気治療効果を企図した腰保護用ベルトの多くは、単に腰当接部に多数の永久磁石を配したに過ぎないものであり（特許文献１−４）、十分な磁気治療効果を期待することができないだけでなく、装着性、即ち、腰部に対する当たり具合等の点においても良好とは言えない面があった。
【先行技術文献】
【特許文献】
【０００４】
【特許文献１】特開２００５−７１３０号公報
【特許文献２】特開２００３−７９７４７号公報
【特許文献３】特開２００２−１３６６０９号公報
【特許文献４】実用新案登録第３１４０２２３号公報
【考案の概要】
【考案が解決しようとする課題】
【０００５】
上述したように、従来より多種多様の腰保護用ベルトが出回っており、磁気治療効果を企図したものも数多く提案されているが、従来提案されている磁気治療用の腰保護用ベルトの場合は、単に腰当接部に多数の永久磁石を配したに過ぎないものであり、十分な磁気治療効果を期待することができないだけでなく、装着性が良好とはいい得ない面があった。
【０００６】
そこで本考案は、装着性がよくて、十分な磁気治療効果を期待し得るベルト型磁気治療器を提供することを課題とする。
【課題を解決するための手段】
【０００７】
上記課題を解決するための請求項１に記載の考案は、腰部を覆い得る大きさの腰当部と前記腰当部の両側に延設される腹回り部とを含む基布に磁石要素を配備して成り、前記腹回り部には互いに着脱可能に係着し合う係着手段が定着され、前記磁石要素として、クランク型の磁気カプセルの上部及び下部に伸縮紐を通すことによって多数の前記磁気カプセルを横に連ねて形成される長尺磁石列と短尺磁石列とを含み、前記長尺磁石列は、前記腰当部から腹回り部に亘って伸びるように複数段配置され、前記短尺磁石列は、前記腰当部部分の前記長尺磁石列の下側に複数段連結配置されて成るベルト型磁気治療器である。
【０００８】
一実施形態においては、前記長尺磁石列は３段であり、前記短尺磁石列は２段である。そして、前記長尺磁石列は両端部のみ前記基布に固定され、中間部は前記基布の複数個所に設けられた支持帯によって支持されている。前記基布は中途に伸縮部を備えている。
【考案の効果】
【０００９】
本考案に係るベルト型磁気治療器は上記構成であるので、装着性がよくて、十分な磁気治療用効果を期待し得るベルト型磁気治療器を提供し得る効果がある。
【図面の簡単な説明】
【００１０】
【図１】本考案に係るベルト型磁気治療器の表面側を示す図である。
【図２】本考案に係るベルト型磁気治療器の裏面側を示す図である。
【図３】図２におけるＡ−Ａ部拡大図である。
【図４】図３におけるＢ−Ｂ線断面図である。
【図５】図３におけるＣ−Ｃ線断面図である。
【図６】本考案に係るベルト型磁気治療器の使用状態図である。
【考案を実施するための形態】
【００１１】
本考案を実施するための形態について、添付図面を参照しつつ詳細に説明する。本考案に係るベルト型磁気治療器は、腰部を覆い得る大きさの腰当部２と、腰当部２の両側に延設される腹回り部３，４とを含む基布１に磁石要素を配備して成り、腹回り部３，４には互いに着脱可能に係着し合う係着手段が定着される。通例、その係着手段は面テープ５，６であり、腰当部２を腰に当接させて腹回り部３，４を前に回し、所望の圧に絞った後、面テープ５，６同士を係着することにより、本ベルト型磁気治療器を腰に装着する（図６参照）。
【００１２】
基布１の腰当部２は腹回り部３、４よりも幅広にされ、腰当部２にはメッシュ素材が用いられる。また、一方の腹回り部４の全体、並びに、他方の腹回り部３と腰当部２との接続部７に、伸縮性素材が用いられる。
【００１３】
磁石要素は、永久磁石１３を内蔵した、通例、樹脂製のクランク型磁気カプセル１１の上部及び下部に伸縮紐１２を通すことによって、多数の磁気カプセルを横に連ねて形成される長尺磁石列８と短尺磁石列９とで構成されるものである。長尺磁石列８は、腰当部２から腹回り部３，４に亘って、換言すれば、基布１のほぼ全長に亘って伸びるように複数段配置され、短尺磁石列９は、腰当部２部分の長尺磁石列８の下側に複数段連結配置される。図示した例においては、長尺磁石列８は３段にされ、短尺磁石列は２段にされている。
【００１４】
長尺磁石列８は両端部のみ、端部固定材１４を介して基布１に固定され、中間部は基布１から浮いた状態にされている。そして、その中間部は、基布１にその幅方向に跨るように設けられた複数の支持帯１０によって支持されている（図２、図４参照）。長尺磁石列８の伸縮紐１２は一連である必要はなく、例えば、３本の伸縮紐１２が中間連結材１５を介して一直線状にされていてもよい。短尺磁石列９は、その両端が中間連結材１５に固定される。
【００１５】
本考案に係る磁気バンド１は、上述したように、腰当部２を腰に当接させて腹回り部３，４を前に回し、所望の圧に絞った後、面テープ５，６同士を係着することによって腰に装着する（図６参照）。その状態において、長尺磁石列８と短尺磁石列９が腰から腹にかけて広範囲に面状に当接し、その当接部分に磁気作用を及ぼす。
【００１６】
また、長尺磁石列８は両端部のみ基布１に固定され、中間部及び短尺磁石列９は、基布１には直接取り付けられることなく、複数の支持帯１０によって支持されており、且つ、長尺磁石列８と短尺磁石列９は共に伸縮紐１２を介して構成され、更に、基布１自体伸縮性を有しているので、腰から腹部にかけての当接部に無理なく馴染んで密着するので、非常に装着性がよい。このように、長尺磁石列８と短尺磁石列９が腰から腹部にかけて無理なく密着するので、その当接部分に十分な磁気作用が及び、有効な磁気治療効果が発揮される。
【符号の説明】
【００１７】
１    基布
２    腰当部
３，４    腹回り部
５，６    面テープ
７    接続部
８    長尺磁石列
９    短尺磁石列
１０    支持帯
１１    磁気カプセル
１２    伸縮紐
１３    永久磁石
１４    端部固定材
１５    中間連結材
【図１】
0003209256.tif 000003
【図２】
0003209256.tif 000004
【図３】
0003209256.tif 000005
【図４】
0003209256.tif 000006
【図５】
0003209256.tif 000007
【図６】
0003209256.tif 000008